(57)【要約】【課題】奥の商品を手前に自動的に移動させる商品陳列棚に用いられるシートにおいて、より容易に設置及び交換できるようにすること。【解決手段】商品が載置される載置面において前記商品を傾斜により摺動移動させる商品陳列シートであって、前記載置面は凹凸形状を有し、前記載置面及び基材が樹脂により一体的に形成される。また、この樹脂はポリカーボネイトを含む。さらに、この商品陳列シートは、０．４ｍｍ〜５．０ｍｍの範囲の厚みを有する。【選択図】図３
2013236810.tif 000002
【特許請求の範囲】
【請求項１】
商品が載置される載置面において前記商品を傾斜により摺動移動させる商品陳列シートであって、
前記載置面は凹凸形状を有し、前記載置面及び基材が樹脂により一体的に形成された商品陳列シート。
【請求項２】
前記樹脂はポリカーボネイトを含む、請求項１に記載の商品陳列シート。
【請求項３】
０．４ｍｍ〜５．０ｍｍの範囲の厚みを有する、請求項１又は２に記載の商品陳列シート。
【請求項４】
前記載置面において、前記樹脂と異なる材料による層が形成されていない、請求項１〜３のいずれかに記載の商品陳列シート。
【請求項５】
前記載置面上に、仕切り板を移動させるためのレールが接着された、請求項１〜４のいずれかに記載の商品陳列シート。
【請求項６】
前記載置面に載置される商品の少なくとも一部が接触しない貫通孔を設けた、請求項１〜５のいずれかに記載の商品陳列シート。
【発明の詳細な説明】
【技術分野】
【０００１】
本発明は、載置された陳列商品を傾斜により前出し可能とする商品陳列シートに関する。
【背景技術】
【０００２】
スーパーマーケット等の量販店では、図１に示すような商品陳列棚２００に他種類の商品が陳列される。このように陳列された商品は、手前側から抜き取られるため、奥にある商品を手前側に移動させる必要がある。  
商品を移動させる手法は様々なものが考えられている。たとえば、載置面に多数の回転ローラーを設け、棚板を奥側から手前側に傾斜させることにより、自動的に奥の商品を手前側に移動させる商品陳列棚がある。  
また、商品を滑りやすくする滑性層をシートに形成し、このシートを棚板に貼り付けることも考えられている。特許文献１には、シート基材の一方の面にフッ素系化合物などにより滑性層を形成し、他方の面にはシリコーンゴムなどにより密着層を形成することが示されている。
【先行技術文献】
【特許文献】
【０００３】
【特許文献１】特開２００８−１２０７８号公報
【発明の概要】
【発明が解決しようとする課題】
【０００４】
シート基材の一方の面にフッ素系化合物などにより滑性層を形成すると、商品の仕切り板を取り付けるためのレールをそのシートに接着することが困難となる、また、仮に接着することができたとしても容易にはがれてしまうという問題がある。  
そのため、仕切り板を取り付けるためのレールはシートに接着されず、商品陳列棚に直接接着される。よって、レールを接着するためのスペースを棚板に予め設けておく必要がある。棚板は傾斜するように設置されるため、スペースを予め設けておくためには、シートが自重によりそのスペースに移動しないように、棚板にシートを接着等する必要がある。
【０００５】
しかしながら、レール及びシートが棚板に直接接着されていると、経年劣化したシート等を張り替える際に、それをはがすだけでも多大な時間を要することになる。また、滑性層及び密着層を形成することから高コストであることも問題となる。  
すなわち、奥の商品を手前側に自動的に移動させる商品陳列棚に用いられるシートにおいて、より容易に設置及び交換できるようにすることが望まれる。
【０００６】
本発明は、このような事情に鑑みてなされたものであり、奥の商品を手前側に自動的に移動させる商品陳列棚に用いられるシートにおいて、より容易に設置及び交換できるようにすることを目的とする。
【課題を解決するための手段】
【０００７】
このような目的を達成するために本発明に係る商品陳列シートは、商品が載置される載置面において前記商品を傾斜により摺動移動させる商品陳列シートであって、前記載置面は凹凸形状を有し、前記載置面及び基材が樹脂により一体的に形成される。
【０００８】
このようにすることで、載置面は凹凸形状を有するので、載置される商品とシート表面との接触面積を調整して静止摩擦係数を調整することができる。そして、適度な傾斜により商品を摺動移動させることができる。すなわち、基材と一体的に形成された凹凸面によって静止摩擦係数を調整することができるので、別材料による滑性層を形成せずとも適切に商品を摺動移動させることができる。また、別材料による滑性層を設けないため、シート表面に仕切り板のレール等を接着剤等で貼り付けることができる。そのため、レール等を直に商品陳列棚に貼り付けるためのスペースを設ける必要がないため、ずれ落ち防止のためにシートを商品陳列棚の棚板に貼り付ける必要がない。よって、より容易に商品陳列シートを商品陳列棚に設置及び交換することができる。
【０００９】
また、本発明に係る商品陳列シートにおいて、前記樹脂はポリカーボネイトを含むことが望ましい。
【００１０】
ポリカーボネイトは剛性に優れるため、薄く加工し、かつ、商品をその上に載置した場合であっても変形しにくい。よって、商品陳列シートを商品陳列棚の棚板に配置するのみ、すなわち貼り付けることなく設置することができる。そのため、より容易に商品陳列シートを商品陳列棚に設置及び交換することができる。
【００１１】
また、本発明に係る商品陳列シートにおいて、０．４ｍｍ〜５．０ｍｍの範囲の厚みを有することが望ましい。
【００１２】
このようにすることで、商品陳列棚を設置する現場においてカッターなどの裁断手段によって容易に商品陳列棚のサイズに合わせたサイズに商品陳列シートを加工することができる。また、この範囲の厚みを有していれば、商品を載置しても変形しない剛性も享受することができる。
【００１３】
また、本発明に係る商品陳列シートにおいて、前記載置面において、前記樹脂と異なる材料による層が形成されていないことが望ましい。
【００１４】
樹脂と異なる材料による層を形成した場合、この層上に接着剤等により仕切り板を移動させるためのレール等を接着することが困難な場合があるが、上記の商品陳列シートでは樹脂と異なる材料による層を設けず、基材と一体で形成された凹凸面を有するので、その凹凸面にレール等を接着することができる。そのため、商品陳列棚の棚板上にレール等を直に貼り付けるためのスペースを設ける必要がなく、商品陳列シートを商品陳列棚の棚板に貼り付ける必要がない。よって、より容易に商品陳列シートを商品陳列棚に設置及び交換することができる。
【００１５】
また、本発明に係る商品陳列シートにおいて、前記載置面上に、仕切り板を移動させるためのレールが接着されたことが望ましい。
【００１６】
このようにすることで、仕切り板を移動可能に取り付けることができるので、より容易に商品陳列シートを商品陳列棚に設置及び交換することができる。
【００１７】
また、本発明の係る商品陳列シートにおいて、前記載置面に載置される商品の少なくとも一部が接触しない貫通孔を設けたことが望ましい。
【００１８】
このようにすることで、載置される商品との接触面積及び摩擦抵抗を調整して、より適切に商品を最前列側に滑らせることができる。
【発明の効果】
【００１９】
以上のように、載置面は凹凸形状を有するので、載置される商品とシート表面との接触面積を調整して静止摩擦係数を調整することができる。そして、適度な傾斜により商品を摺動移動させることができる。すなわち、基材と一体的に形成された凹凸面によって静止摩擦係数を調整することができるので、別材料による滑性層を形成せずとも適切に商品を摺動移動させることができる。また、別材料による滑性層を設けないため、シート表面に仕切り板のレール等を接着剤等で貼り付けることができる。そのため、レール等を直に商品陳列棚に貼り付けるためのスペースを設ける必要がないため、ずれ落ち防止のためにシートを商品陳列棚の棚板に貼り付ける必要がない。よって、より容易に商品陳列シートを商品陳列棚に設置及び交換することができる。
【図面の簡単な説明】
【００２０】
【図１】商品陳列棚２００の外観図である。
【図２】本実施形態における商品陳列シート１０が設置された商品陳列棚１の斜視図である。
【図３】レール１１及び仕切り板１２が取り付けられた商品陳列シート１０の斜視図である。
【図４】商品陳列シート表面の凹凸模様の拡大図である。
【図５】抜き加工がなされた商品陳列シート１０の第１の例である。
【図６】抜き加工がなされた商品陳列シート１０の第２の例である。
【図７】抜き加工がなされた商品陳列シート１０の第３の例である。
【発明を実施するための形態】
【００２１】
図１は、商品陳列棚２００の外観図である。商品陳列棚２００はスーパーマーケット等に設置され、図示されるように、飲料用ペットボトルや飲料用缶などが並べられる。
【００２２】
並べられる飲料用ペットボトルは、最前列（手前側）から抜き取られるため、奥にある商品を最前列に移動させる必要がある。このため、従来の商品陳列棚の棚板は所定の角度が有するように組み立てられ、さらに棚板にはローラーが設けられる。そして、自動的に奥の商品が最前列に移動する構造となっている。
【００２３】
しかしながら、ローラーを用いる場合、少なくともそのローラー径の厚みを有することになるため、商品陳列棚の高さのうちローラー径分を占有してしまうという問題がある。また、商品陳列棚に設置する際にローラーユニット落下させてしまった場合、ローラーがばらけてしまい、復旧に時間を要するという問題もあった。また、ローラーの場合、ローラー間の隙間にゴミがたまりやすいという問題もある。ゴミがたまるとローラーが回転しにくくなるという問題もある。
【００２４】
このような問題を解決するために、潤滑剤による活性層を有するシートを商品陳列棚の棚板に貼り付けることがある。たとえば、特許文献１に示すようなシートを用いた場合、表面は商品を滑りやすくするための活性層が形成される。一方、裏面は、商品陳列棚に密着するような密着層が形成される。
【００２５】
特許文献１に示すようなシートの場合、潤滑剤を塗工するなどして活性層が形成されるが、このようにして形成された活性層には、接着剤を用いて後述するようなレールを貼り付けることが困難である。また、仮に、貼り付けることができたとしても、はがれやすいなどの問題を有していた。
【００２６】
そのため、レールはシート上に接着するのではなく、商品陳列棚の棚板に直接貼り付けられていた。また、シートの基材は５０μｍ〜２００μｍと薄い。そのため柔らかいため、平滑性を確保するためにシートも商品陳列棚の棚板に貼り付けられる。すなわち、レールもシートも共に商品陳列棚の棚板に貼り付けるという施工が必要であることから、商品陳列棚を完成させるまでに相当の時間を要する。短期間で行われる店舗の改装などでは、この時間が問題となり、施工時間の長さは人件費によるコストの問題も生ずる。
【００２７】
本実施形態における商品陳列シートは、これらの問題を解決するべく、次のような構成を採用する。
【００２８】
図２は、本実施形態における商品陳列シート１０が設置された商品陳列棚１の斜視図である。図２には、傾斜が約５°〜７°で固定された棚板１６が示されている。商品陳列棚１には、棚板１６と棚板１６に固定されたストッパー１４が含まれる。また、棚板１６上に本実施形態における商品陳列シート１０が載置されている。商品陳列シート１０には、レール１１が設けられ、レール１１には摺動可能に仕切り板１２が取り付けられる。本実施形態における商品陳列シート１０は、棚板１６上に単に載置されるのみで、接着等はされていない。
【００２９】
図３は、レール１１及び仕切り板１２が取り付けられた商品陳列シート１０の斜視図である。本実施形態における商品陳列シート１０の材質は、ポリカーボネイトである。そして、商品と接する載置面１０２（表面）には、後述するようなエンボス加工が施される。一方、商品陳列棚と接する面１０４（裏面）には、特段の加工はなされていない。
【００３０】
レール１１は、後述するように商品陳列シート１０上に貼り付けられる。レール１１は、図示されるように棚板の手前側だけでなく、図示されない奥側にも手前側のレール１１と平行して接着される。レール１１に取り付けられる仕切り板１２は、たとえば、塩化ビニールなどの裁断しやすい材料で構成される。仕切り板１２の両端部には、レールを摺動する取り付け部材１３が設けられる。取り付け部材は、レール１１を挟み込み摺動する摺動部材１３１と仕切り板１２を固定する固定部材１３２からなる。
【００３１】
本実施形態における商品陳列シートの厚みは、０．４ｍｍ〜５．０ｍｍの範囲内であり、望ましくは０．５ｍｍ程度である。ポリカーボネイトをこの厚みで採用することで、商品陳列棚１の棚板１６に接着等することなく、商品の載置面１０２を平坦に維持することができる。この平坦状態は、商品陳列シート１０上に商品が載置された場合も、商品が載置されない場合であっても維持される。よって、本実施形態における商品陳列シート１０を採用することで、単に、商品陳列棚１の棚板１６に載置するだけで商品を前方向に滑らせることができる商品陳列棚１を提供することができる。
【００３２】
また、図示されるように、本実施形態における商品陳列シート１０には、仕切り板１２を取り付けるためのレール１１が接着剤等で貼り付けられる。この商品陳列シート１０は、ポリカーボネイトの表面をエンボス加工しただけである。すなわち、基材上に基材以外の材料を塗布しないので、塗布した材料のために接着剤で接着できなくなるという問題を生じない。すなわち、レールを商品陳列シート１０に貼り付けることができるので、レール１１を商品陳列棚１に直に接着する必要がないという利点を有する。
【００３３】
仮に、商品陳列棚１の棚板にレール１１を直接接着する場合、予め、レール１１を取り付けるためのスペースを計算して確保しておく必要があった。そして、そのスペースを避けつつ、柔らかいシートを貼り付けるという作業が必要であった。しかしながら、本実施形態における商品陳列シート１０には、直接、レール１１を貼り付けることができるので、レール１１を貼り付けた商品陳列シート１０を商品陳列棚１の棚板１６に載置するだけで作業を完了させることができる。
【００３４】
また、本実施形態における商品陳列シート１０は載置するだけで設置が完了するため、商品陳列シート１０を交換する際も容易にその交換を行うことができる。よって、店舗改装などの短期間で作業を完了しなければならない場合であっても、十分にその作業を完了させることができる。また、本実施形態における商品陳列シート１０は、シートで構成されているため、薄く、ローラー等と異なり棚間ピッチを広く確保できるという利点も有する。
【００３５】
なお、ここでは、商品陳列シートの素材をポリカーボネイトとしたが、表面に一体的にエンボス加工がなされていれば、ＡＢＳ樹脂やポリプロピレン（ＰＰ）、又は、ポリエチレン・テレフタレート（ＰＥＴ）とすることもできる。
【００３６】
また、スーパーマーケットに設置される商品陳列棚の棚板上には、購買意欲をかき立てるために色彩を設けたフードマットが貼られることが多いが、本実施形態における商品陳列シート１０に色彩や模様を付加することによって上記の効果のみならず、フードマットの役割も担い、購買意欲をかき立てるというさらなる効果も奏する。
【００３７】
図４は、商品陳列シート表面の凹凸模様の拡大図である。本実施形態における商品陳列シート１０の載置面１０２（表面）には、図示されるような模様の凹凸が設けられる。本実施形態における商品陳列シート１０の載置面及び基材はポリカーボネイトにより一体的に形成されている。
【００３８】
このような凹凸模様は、凹凸模様を有する金型の型押しにより形成することができる。また、このような凹凸模様を有するエンボスローラーで挟み込み押し出す押し出し加工成形によっても形成することができる。
【００３９】
このように、載置面１０２は凹凸形状を有するので、載置される商品とシート表面との接触面積を調整して静止摩擦係数を調整することができる。そして、適度な傾斜により商品を摺動移動させることができる。
【００４０】
図５は、抜き加工がなされた商品陳列シート１０の第１の例である。図５には、複数の丸孔の抜き加工がなされた商品陳列シート１０が示されている。丸孔は貫通孔である。また、各丸孔の直径Ｄは、５ｍｍ〜２０ｍｍ程度である。
【００４１】
このように、商品陳列シート１０に貫通孔を形成することによって、載置面１０２に載置される商品の一部が商品陳列シート１０の載置面１０２に接触しないようにすることができる。そして、載置される商品との接触面積及び摩擦抵抗を調整して、より適切に商品を最前列側に滑らせることができる。
【００４２】
また、本実施形態における商品陳列シート１０は変形しにくい一方で加工しやすいため、このような形状の貫通孔を比較的容易に形成できるという利点もある。
【００４３】
図６は、抜き加工がなされた商品陳列シート１０の第２の例である。図６には、複数の矩形状孔の抜き加工がなされた商品陳列シート１０が示されている。矩形状孔は貫通孔である。また、各矩形状孔の頂点間の幅Ｗ１は５ｍｍ〜２０ｍｍ程度である。
【００４４】
このようにすることによっても上記と同様に、載置される商品との接触面積及び摩擦抵抗を調整して、より適切に商品を最前列に滑らせることができる。
【００４５】
図７は、抜き加工がなされた商品陳列シート１０の第３の例である。図７には、複数の長孔の抜き加工がなされた商品陳列シート１０が示されている。長孔は貫通孔である。長孔の幅Ｗ２は１０ｍｍ〜２０ｍｍ程度である。
【００４６】
このようにすることによっても上記と同様に、載置される商品との接触面積及び摩擦抵抗を調整して、より適切に商品を最前列に滑らせることができる。また、図７における長孔は奥側から最前列側に向かって伸びる。商品は摩擦抵抗が少なくより滑りやすい方向に移動しようとするため、このような長孔を設けることにより、商品を適切に最前列方向に移動させることができる。
【符号の説明】
【００４７】
１  商品陳列棚（本実施形態）、
１０  商品陳列シート、１０２  商品陳列シート表面、１０４  商品陳列シート裏面、
１１  レール、１２  仕切り板、１３  取り付け部材、
１４  ストッパー、１６  棚板
２００  商品陳列棚（従来）
【図１】
2013236810.tif 000003
【図２】
2013236810.tif 000004
【図３】
2013236810.tif 000005
【図５】
2013236810.tif 000006
【図６】
2013236810.tif 000007
【図７】
2013236810.tif 000008
【図４】
2013236810.tif 000009